(57)【要約】【課題】  低コスト及び省スペースのシェーディング装置を提供して、スキャナあるいは消去装置等の低価格化及び小型化を図る。【解決手段】  実施形態のシェーディング装置は、複数の画像読取部に記録媒体を搬送する搬送路を通り、前記複数の画像読取部に到達するシェーディング部材と、前記シェーディング部材を、前記複数の画像読取部と前記搬送路外部の退避位置の間で移動する移動部材とを備える。【選択図】図３
2013013072.tif 000002
【特許請求の範囲】
【請求項１】
複数の画像読取部に記録媒体を搬送する搬送路を通り、前記複数の画像読取部に到達するシェーディング部材と、
前記シェーディング部材を、前記複数の画像読取部と前記搬送路外部の退避位置の間で移動する移動部材とを備えることを特徴とするシェーディング装置。
【請求項２】
前記移動部材は、前記シェーディング部材の一側を支持し、前記シェーディング部材の他側をフリーな状態で、前記複数の画像読取部と前記退避位置の間で移動することを特徴とする請求項１に記載のシェーディング装置。
【請求項３】
前記移動部材は、前記シェーディング部材の一側を支持する巻取り部材を備え、前記巻取り部材で前記シェーディング部材を巻き取って前記シェーディング部材の前記他側を前記退避位置に移動し、前記巻取り部材で前記シェーディング部材を送り出して前記シェーディング部材の前記他側を前記画像読取部に移動することを特徴とする請求項１または請求項２に記載のシェーディング装置。
【請求項４】
記録媒体を搬送する搬送路と、
前記搬送路を通過する前記記録媒体の第１面を読み取る第１の画像読取部と
前記搬送路を通過する前記記録媒体の第２面を読み取る第２の画像読取部と、
前記第１の画像読取部或いは前記第２の画像読取部のシェーディングを行う請求項１乃至請求項３のいずれか１項に記載のシェーディング装置とを備えることを特徴とする画像読取装置。
【請求項５】
シェーディング部材を退避位置から複数の画像読取部に移動する工程と、
前記シェーディング部材を前記複数の画像読取部でそれぞれ読取る工程と、
前記シェーディング部材を前記複数の画像読取部から前記退避位置に移動する工程と、
前記シェーディング部材の読取り結果を用いて、前記複数の画像読取部のそれぞれのシェーディング補正をする工程とを備えることを特徴とするシェーディング補正方法。
【請求項６】
前記シェーディング部材の前記退避位置から前記複数の画像読取部への移動は、巻き取った状態の前記シェーディング部材の巻取りをほどいて前記複数の画像読取部へ送り出し、前記シェーディング部材の前記複数の画像読取部から前記退避位置への移動は、前記シェーディング部材を巻き取ることを特徴とする請求項５に記載のシェーディング補正方法。
【発明の詳細な説明】
【技術分野】
【０００１】
実施形態は、スキャナあるいは消去（消色）装置等に用いる画像読取部のシェーディング補正を行うシェーディング装置、画像読取装置及びシェーディング補正方法に関する。
【背景技術】
【０００２】
スキャナあるいはシート上の画像を消去（消色）する消去（消色）装置等では、２個の読取センサを用いて、シートの両面を読み取る装置がある。各読取センサは、読取感度を最適化するためのシェーディング機構をそれぞれに備えて、シェーディング機構の白色のシェーディング板を読み取って得られる補正データを用いて、読取画像を補正するシェーディング補正を行う。
【０００３】
読取センサがそれぞれにシェーディング機構を備えると、コストが高くなると共に、シェーディング機構のためのスペースも必要とし、スキャナあるいは消去装置等の小型化、あるいは低価格化を妨げる恐れがある。
【先行技術文献】
【特許文献】
【０００４】
【特許文献１】特開２００７−２５８９６３号公報
【発明の概要】
【発明が解決しようとする課題】
【０００５】
このが解決しようとする課題は、低コストであり且つ省スペースを実現して、スキャナあるいは消去装置等の小型化し低価格化するシェーディング装置、画像読取装置及びシェーディング補正方法を提供することである。
【課題を解決するための手段】
【０００６】
上記課題を達成するために、実施形態のシェーディング装置は、複数の画像読取部に記録媒体を搬送する搬送路を通り、前記複数の画像読取部に到達するシェーディング部材と、前記シェーディング部材を、前記複数の画像読取部と前記搬送路外部の退避位置の間で移動する移動部材とを備える。
【図面の簡単な説明】
【０００７】
【図１】第１の実施形態のシェーディング装置を搭載したスキャナを兼用する消去装置を示す概略構成図。
【図２】第１の実施形態の消去装置の構成を示す概略ブロック図。
【図３】第１の実施形態のシェーディング部を示し、シェーディング板が、ホームポジションにある状態をフロント側から見た概略説明図。
【図４】第１の実施形態のシェーディング板の他の例を示す概略説明図。
【図５】第１の実施形態のシェーディング板がホームポジションにある状態を検知するセンサを示す概略説明図。
【図６】第１の実施形態のシェーディング板の他側がＡスキャナ部に達した状態を示す概略説明図。
【図７】第１の実施形態のシェーディング板の他側がＢスキャナ部に達した状態を示す概略説明図。
【図８】第２の実施形態のシェーディング板の他側が退避位置に達した状態を示す概略説明図。
【図９】第２の実施形態のスキャナクリーナを示す概略説明図。
【発明を実施するための形態】
【０００８】
以下、実施形態について説明する。
【０００９】
（第１の実施形態）
第１の実施形態のシェーディング装置を図１乃至図７を参照して説明する。図１のスキャナを兼用する消去装置１００は、消去（消色）装置として機能する場合は、記録媒体であるシートＰ上に形成される消去可能画像を消去する。消去装置１００は、スキャナとして機能する場合は、記録媒体であるシートＰ上に形成される画像を読み取る。
【００１０】
消去装置１００は、シートＰの給紙部１０、読取部２０、シェーディング装置であるシェーディング部７０、消去部３０、積載トレイ４０、ＮＧシート積載トレイ５０を備える。消去装置１００は、第１搬送部６１、第２搬送部６２、第３搬送部６４、第４搬送部６５を備える。
【００１１】
第１搬送部６１は、給紙部１０から読取部２０を経て第１分岐部６２ａに到る第１搬送路６１ａを備える。第１搬送部６１は、第１搬送路６１ａに沿って搬送ローラ６１ｂ、６１ｃ、６２ｃを備える。第２搬送部６２は、第１分岐部６２ａが配置される分岐点から分岐し、読取部２０の上流の合流点６０で第１搬送路６１ａに合流する第２搬送路６２ｂを備える。
【００１２】
第２搬送路６２ｂには、消去部３０が配置される。第２搬送部６２は、第２搬送路６２ｂに沿って搬送ローラ６２ｄ、６２ｅ、６２ｆ、６３ｂ、６３ｃ、６３ｄを備える。第３搬送部６４は、第１分岐部６２ａから第２分岐部６４ａを経て積載トレイ４０に到る第３搬送路６４ｂを備える。第３搬送部６４は、第３搬送路６４ｂに沿って搬送ローラ６４ｃ、６４ｄを備える。第４搬送部６５は、第２分岐部６４ａからＮＧシート積載トレイ５０までの第４搬送路６５ａを備える。第４搬送部６５は、第４搬送路６５ａに沿って搬送ローラ６５ｂ、６５ｃを備える。第２搬送部６２は、読取部２０から搬送されてきたシートＰを、消去部３０を経由して、再び、読取部２０方向へ搬送可能とする。
【００１３】
給紙部１０は、例えば画像読取をするためあるいは画像を消去するシートＰを積載する給紙トレイ１０ａ、給紙トレイ１０ａからシートＰを取り出すピックアップローラ１０ｂ、分離ローラ１０ｃを備える。読取部２０は、第１の画像読取部である第１スキャナ部２１Ａ、第２の画像読取部である第２スキャナ部２１Ｂを有する。
【００１４】
第１スキャナ部２１Ａと第２スキャナ部２１Ｂは、第１搬送路６１ａを挟んで対向する。第１スキャナ部２１Ａと第２スキャナ部２１Ｂは、例えば、ＣＣＤ（Ｃｈａｒｇｅ  Ｃｏｕｐｌｅｄ  Ｄｅｖｉｃｅ）スキャナあるいはＣＭＯＳセンサ等の読取ユニットを備える。例えば第１スキャナ部２１Ａは、第１搬送路６１ａを通過するシートＰの第１面である表面の画像を読取り、第２スキャナ部２１Ｂは、第１搬送路６１ａを通過するシートＰの第２面である裏面の画像を読取る。
【００１５】
例えば第１スキャナ部２１Ａと第２スキャナ部２１ＢがＣＣＤスキャナを備える場合は、読取深度を比較的大きく設定できる。読取深度が大きいと、シートＰの搬送路を広く設定でき、シートＰの紙詰まりをより防ぐことが出来る。
【００１６】
シェーディング部７０は、第１スキャナ部２１Ａと第２スキャナ部２１Ｂの２つのスキャナのシェーディング補正に用いる。消去部３０は、搬送されるシートＰの画像を消去する。消去部３０は、例えば、シートＰを画像の消去温度まで加熱して、シートＰに形成される画像を消去する。消去部３０は、例えば、シートＰの表面の画像を消去する第１消去ユニット３１と、シートＰの裏面の画像を消去する第２消去ユニット３２を備える。積載トレイ４０は、読取りを終了したシートＰあるいは、画像を消去後に再利用可能のシートＰを積載する。ＮＧシート積載トレイ５０は、画像を消去後に再利用不可と判断されたシートＰを積載する。
【００１７】
これらの構成により読取操作あるいは消去操作を開始すると、消去装置１００は、第１スキャナ部２１Ａと第２スキャナ部２１Ｂで、給紙トレイ１０ａから搬送されるシートＰを読取り、消去部３０でシートＰの画像を消去し、積載トレイ４０あるいはＮＧシート積載トレイ５０にシートＰを搬送する。
【００１８】
消去装置１００内を走行するシートＰの搬送経路は、消去装置１００が実行する処理モードに基づいて設定される。消去装置１００は、例えば、（１）画像読取を行わず、画像の消去処理のみを行う第１消去モード、（２）画像の読取後に、画像の消去処理を行う第２消去モード、（３）画像を消去前には画像読取を行わず、画像の消去処理後に、シートＰを読取って、シートＰが再利用可能であるか否か分別する第３消去モード、（４）画像の読み取り後に、画像の消去処理を実施し、さらにシートＰの分別処理を実施する第４消去モード、（５）画像の消去を行わず、画像読取りをする読取モードを備える。
【００１９】
図２のブロック図に示す消去装置１００の制御部１１０は、給紙部１０、第１スキャナ部２１Ａ、第２スキャナ部２１Ｂ、シェーディング部７０、消去部３０及び第１〜第４搬送部６１、６２、６４、６５を制御する。制御部１１０は、プロセッサ１１１とメモリ１１２を備える。
【００２０】
メモリ１１２は、各種制御プログラムを格納するＲＯＭ（Ｒｅａｄ  Ｏｎｌｙ  Ｍｅｍｏｒｙ）１１２ａと、一時的な作業領域を提供するＲＡＭ（Ｒａｎｄｏｍ  Ａｃｃｅｓｓ  Ｍｅｍｏｒｙ）１１２ｂを備える。プロセッサ１１１は、例えば、第１スキャナ部２１Ａあるいは第２スキャナ部２１Ｂで読取った読取画像をシェーディング補正する。例えばプロセッサ１１１は、シェーディング補正後の画像データから、シートＰの印字率を判断して、シートＰの画像が消去されたか否かを判断する。あるいはプロセッサ１１１は、シェーディング補正後の画像データをＲＡＭ１１２ｂに一時的に保存する。
【００２１】
第１消去モードであれば、消去装置１００は、給紙部１０からのシートＰを、第１搬送路６１ａから第２搬送部６２を経て消去部３０で消去する。消去装置１００は、シートＰの画像を消去後にシートＰを第２搬送路６２ｂ、第１搬送路６１ａ、第３搬送路６４ｂに沿って搬送し、積載トレイ４０に積載して、処理を終了する。
【００２２】
第２消去モードであれば、消去装置１００は、給紙部１０からのシートＰが第１搬送路６１ａを通過する間に、第１スキャナ部２１Ａ及び第２スキャナ部２１Ｂで画像を読取る。読取った画像データは、シェーディング補正をして例えばＲＡＭ１１２ｂに一時的に保存する。消去装置１００は、画像読取後に、シートＰの画像を消去部３０で消去する。消去装置１００は、消去後にシートＰを第２搬送路６２ｂ、第１搬送路６１ａ、第３搬送路６４ｂに沿って搬送し、積載トレイ４０に積載して、処理を終了する。
【００２３】
第３消去モードであれば、消去装置１００は、給紙部１０からのシートＰを、第１搬送路６１ａから第２搬送路６２ｂを経て消去部３０で消去する。消去装置１００は、消去後に、第２搬送路６２ｂを経て、第１搬送路６１ａを通過するシートＰを、第１スキャナ部２１Ａ及び第２スキャナ部２１Ｂで読取る。消去装置１００は、読取結果からシートＰが再利用可能であるか、否かを判断し、その判断に従い、積載トレイ４０あるいはＮＧシート積載トレイ５０に分別して、処理を終了する。
【００２４】
第４消去モードであれば、消去装置１００は、給紙部１０からのシートＰが第１搬送路６１ａを通過する間に、第１スキャナ部２１Ａ及び第２スキャナ部２１Ｂで画像を読取る。読取った画像データは、シェーディング補正をして例えばＲＡＭ１１２ｂに一時的に保存する。消去装置１００は、画像読取後に、シートＰの画像を消去部３０で消去する。消去装置１００は、消去後に、第２搬送路６２ｂ、を経て、第１搬送路６１ａを通過するシートＰを、第１スキャナ部２１Ａ及び第２スキャナ部２１Ｂで読取る。消去装置１００は、読取結果からシートＰが再利用可能であるか、否かを判断し、その判断に従い、積載トレイ４０あるいはＮＧシート積載トレイ５０に分別して、処理を終了する。
【００２５】
読取モードであれば、消去装置１００は、給紙部１０からのシートＰが第１搬送路６１ａを通過する間に、第１スキャナ部２１Ａ及び第２スキャナ部２１Ｂで画像を読取る。読取った画像データは、シェーディング補正をして例えばＲＡＭ１１２ｂに一時的に保存する。消去装置１００は、画像読取後に、消去を行わずシートＰを積載トレイ４０に積載して、処理を終了する。
【００２６】
シェーディング部７０について詳述する。図３に示すようにシェーディング部７０は、第１搬送路６１ａに対して第２スキャナ部２１Ｂ側にある。シェーディング部７０は、シェーディング用の白基準板でありシェーディング部材であるシェーディング板７１、巻取り部材である半月状のドラム７２、モータ７３、第１ギア７４ａ、第２ギア７４ｂ、クリーニング部材であるクリーナ７６ａ、７６ｂ、センサ７７、上ガイド７８ａ、下ガイド７８ｂを備える。ドラム７２、モータ７３と、第１ギア７４ａ、第２ギア７４ｂは、移動部材を構成する。クリーニング部材については後述する。
【００２７】
シェーディング部７０が第２スキャナ部２１Ｂ側にあるので、例えば紙詰まり除去のために消去装置１００の側壁１００ａを開放して、第１搬送６１ａを開放する場合に、シェーディング部７０の配線等に配慮する必要がない。オペレータによるジャム処理が容易になる。
【００２８】
シェーディング板７１は第１搬送路６１ａを通って、矢印ｓ方向及び矢印ｔ方向に移動して第１スキャナ部２１Ａ及び第２スキャナ部２１Ｂに達する。シェーディング板７１は、少なくともスキャナ部２０、２１のスキャン幅を備え、第１搬送路６１ａ内の移動方向に沿った一側は、ネジ７１ａでドラム７２に固定支持される。シェーディング板７１の他側７１ｂは、フリーである。
【００２９】
シェーディング板７１は、白色状態を安定に保持し、且つ屈曲性及び耐久性に優れた材質であれば限定されない。白色のシェーディング板７１としては、例えば白色のポリエステルフィルムを用いる。シェーディング板７１は、単体ではなく、例えば図４に示すように、屈曲性及び耐久性に優れた支持部材であるポリエステルフィルム８０のフリーな他側の両面に、白色部材である白色紙８０ａ、８０ｂを取着してもよい。
【００３０】
モータ７３はステッピングモータである。モータ７３は、第１ギア７４ａ及び第２ギア７４ｂを介して、ドラム７２を往復回転する。ドラム７２は、矢印ｖ方向に回転して、シェーディング板７１を矢印ｓ方向に送り出し、矢印ｗ方向に回転して、シェーディング板７１を矢印ｔ方向に巻き取る。
【００３１】
シェーディング部７０は、ドラム７２のリア側に隣接するセンサ７７を備える。図５に示すように、シェーディング部７０は、センサ７７がドラム７２の回転位置を検知するためのプレート７７ａを備える。プレート７７ａは、ドラム７２のシャフト７２ｂに取着し、ドラム７２と一体に回転する。センサ７７は、ドラム７２の矢印ｗ方向の回転に従い検知部７７ｂがプレート７７ａの端部７７ｃを検知して、プレート７７ａが検知部７７ｂを通過したのを検知すると、ドラム７２がホームポジションに戻ったことを検知する。
【００３２】
例えば第１スキャナ部２１Ａ及び第２スキャナ部２１Ｂが読取状態である場合、ドラム７２は、ホームポジションにある。ドラム７２がホームポジションに在る場合、シェーディング板７１は、図３に示すように、ドラム７２に巻き取られ、シェーディング板７１の他側７１ｂは、第１搬送路６１ａの外側の、退避位置αに在る。上ガイド７８ａと下ガイド７８ｂは、シェーディング板７１を第１搬送路６１ａ方向にガイドする。
【００３３】
シェーディング部７０のシェーディング板７１の移動について説明する。例えば第２消去モード、第３消去モード、第４消去モード、あるいは読取モードの場合に、消去装置１００で、読み取りコマンドを生じると、第１スキャナ部２１Ａ及び第２スキャナ部２１Ｂがシェーディング補正データを取得するために、プロセッサ１１１は、シェーディング部７０を制御する。プロセッサ１１１の制御によりシェーディング部７０はシェーディング板７１の他側７１ｂを第１スキャナ部２１Ａ及び第２スキャナ部２１Ｂの読取り位置２３ａ，２３ｂに移動する。
【００３４】
シェーディング部７０は、図３のシェーディング板７１の他側７１ｂが退避位置αに在る状態から、シェーディング板７１の他側７１ｂが第１スキャナ部２１Ａの読取り位置２３ａに達するまで、モータ７３を規定ステップ数矢印ｘ方向に回転する。モータ７３の矢印ｘ方向の回転により、ドラム７２は、第１ギア７４ａ及び第２ギア７４ｂを介して矢印ｖ方向に回転する。シェーディング板７１の他側７１ｂは、ドラム７２によって送り出されて、上ガイド７８ａと下ガイド７８ｂに沿って、退避位置αから第１搬送路６１ａ内に進む。シェーディング板７１の他側７１ｂが、図６に示すように第１スキャナ部２１Ａの読取り位置２３ａに達すると、モータ７３は一端停止する。
【００３５】
第１スキャナ部２１Ａは、シェーディング板７１の第１面７１ｄを読込む。第１スキャナ部２１Ａがシェーディング板７１の読込みを終了すると、モータ７３は、シェーディング板７１の他側７１ｂが第２スキャナ部２１Ｂの読取り位置２３ｂに達するまで、更に規定のステップ数矢印ｘ方向に回転する。モータ７３の矢印ｘ方向の回転によりドラム７２が矢印ｖ方向に回転して、シェーディング板７１の他側７１ｂは更にドラム７２によって送りだされる。
【００３６】
シェーディング板７１の他側７１ｂが、第１スキャナ部２１Ａの読取り位置２３ａから、図７に示す第２スキャナ部２１Ｂの読取り位置２３ｂに達すると、モータ７３は停止する。第２スキャナ部２１Ｂは、シェーディング板７１の第２面７１ｆを読込む。第２スキャナ部２１Ｂがシェーディング板７１の読込みを終了すると、モータ７３は、矢印ｙ方向に回転する。
【００３７】
モータ７３の矢印ｙ方向の回転により、ドラム７２は、第１ギア７４ａ及び第２ギア７４ｂを介して矢印ｗ方向に回転する。シェーディング板７１はドラム７２に巻き取られて、他側７１ｂは、第１搬送路６１ａを矢印ｔ方向に移動する。ドラム７２が矢印ｗ方向に回転して、図５に示すように、センサ７７がプレート７７ａの端部７７ｃを検知すると、プロセッサ１１１は、ドラム７２がホームポジションに到達したと判断し、シェーディング部７０のモータ７３を停止する。ドラム７２がホームポジションに到達すると、シェーディング板７１の他側７１ｂは退避位置αに到達する。シェーディング板７１の他側７１ｂは、第１搬送路６１ａから確実に退避している。
【００３８】
第１スキャナ部２１Ａは、シェーディング板７１の第１面７１ｄを読取って得られたシェーディング補正データをプロセッサ１１１に入力し、第２スキャナ部２１Ｂは、シェーディング板７１の第２面７１ｆを読取って得られたシェーディング補正データをプロセッサ１１１に入力する。プロセッサ１１１は、第１スキャナ部２１Ａ及び第２スキャナ部２１Ｂのそれぞれのシェーディング補正データをＲＡＭ１１２ｂに一時的に保存して、シェーディング補正データの取得を終了する。シェーディング補正データを取得した後、消去装置１００は、読み取りコマンドを実行する。
【００３９】
消去装置１００は、各種処理モードにおいて読取りコマンドを実行し、例えば第１スキャナ部２１Ａ及び第２スキャナ部２１Ｂで読取った読取画像をシェーディング補正する。消去装置１００は、シェーディング補正後の画像データを用いて、各種処理モードを実施する。各種処理モードを終了後、新たな読取りコマンドがあると、消去装置１００は、読取りコマンドの実行前に、シェーディング部７０のシェーディング板７１を使用して、第１スキャナ部２１Ａ及び第２スキャナ部２１Ｂのシェーディング補正を行う。シェーディング補正を行うタイミングは、限定されない。消去装置１００で読取りコマンドを生じる度に第１スキャナ部２１Ａ及び第２スキャナ部２１Ｂのシェーディング補正を行っても良い。あるいは規定枚数の画像読取を終了後に読取りコマンドを発生した場合に、シェーディング補正を行っても良い。
【００４０】
第１スキャナ部２１Ａ及び第２スキャナ部２１Ｂは、消去装置１００の画像読取部に限らない。消去処理をすることなく、単に画像を読取るスキャナの画像読取部に用いても良い。
【００４１】
第１の実施形態によると、第１スキャナ部２１Ａ及び第２スキャナ部２１Ｂのシェーディング補正を行う場合に、シェーディング装置７０は、ドラム７２を回転してシェーディング板７１を、第１スキャナ部２１Ａと第２スキャナ部２１Ｂに順次送り出す。第１スキャナ部２１Ａあるいは第２スキャナ部２１Ｂでそれぞれシェーディング板７１の第１面７１ｄあるいは第２面７１ｆを読取ると、シェーディング装置７０は、ドラム７２によりシェーディング板７１を巻き取って、シェーディング板７１を第１搬送路６１ａの外に退避する。第１スキャナ部２１Ａ及び第２スキャナ部２１Ｂは、シェーディング装置７０の１枚のシェーディング板７１の両面を使用して、それぞれシェーディング補正データを得る。
【００４２】
第１の実施形態によると、消去装置１００は、第１スキャナ部２１Ａ及び第２スキャナ部２１Ｂのシェーディング補正データを得るために、それぞれにシェーディング装置を設けなくて良い。シェーディング補正データを得るためのコストの低減を得られる。第１スキャナ部２１Ａ及び第２スキャナ部２１Ｂのそれぞれにシェーディング装置７０を配置する必要がなく、シェーディングのための省スペース化を得られる。第１スキャナ部２１Ａ及び第２スキャナ部２１Ｂを近接配置でき、双方の読取時間差を縮小して、読取速度を短縮できる。第１スキャナ部２１Ａ及び第２スキャナ部２１ＢがシートＰをスキャンする場合には、シェーディング板７１は、第１搬送路６１ａの外に退避していて、シェーディング板７１は、第１スキャナ部２１Ａ及び第２スキャナ部２１Ｂを通過するシートＰの搬送を妨げない。
【００４３】
更にクリーニング部材であるクリーナ７６ａ、７６ｂは、上ガイド７８ａと下ガイド７８ｂの第１搬送路６１ａに隣接する位置にそれぞれ設けられる。クリーナ７６ａ、７６ｂは、例えばフェルト製であって、シェーディング板７１の第１面７１ｄと第２面７１ｆにそれぞれ接触する。第１スキャナ部２１Ａ及び第２スキャナ部２１Ｂでシェーディング板７１を読取る間に、シェーディング板７１は、第１スキャナ部２１Ａ及び第２スキャナ部２１Ｂのそれぞれのガラス面２２ａ、２２ｂに接触して、ガラス面２２ａ、２２ｂの汚れが付着されて汚れる。クリーナ７６ａ、７６ｂは、シェーディング板７１が矢印ｖ方向に送り出され、更に矢印ｗ方向に巻き取られる間に、それぞれシェーディング板７１の第１面７１ｄと第２面７１ｆに摺接して、シェーディング板７１の両面に付着した汚れをクリーニングする。クリーナ７６ａ、７６ｂによるクリーニングによりシェーディング板７１は、所望の白色度を保つ。
【００４４】
消去装置１００は、シートＰの読取りを行う間に、第１スキャナ部２１Ａ及び第２スキャナ部２１Ｂのそれぞれのガラス面２２ａ、２２ｂが汚れた場合に、シェーディング板７１を使用してガラス面２２ａ、２２ｂをクリーニングする。消去装置１００は、例えば、規定枚数のシートＰが第１搬送路６１ａを通過すると、ドラム７２を駆動して、シェーディング板７１を往復動して、ガラス面２２ａ、２２ｂをクリーニングする。消去装置１００は、シェーディング板７１の第１面７１ｄを使用して第１スキャナ部２１Ａのガラス面２２ａをクリーニングし、シェーディング板７１の第２面７１ｆを使用して第２スキャナ部２１Ｂのガラス面２２ｂをクリーニングする。第１スキャナ部２１Ａ及び第２スキャナ部２１Ｂは、ガラス面２２ａ、２２ｂの汚れを原因とする読取り誤差を防止して良好な読取画像を得る。
【００４５】
クリーナ７６ａ、７６ｂは、ドラム７２がシェーディング板７１を送り出し、あるいは巻き取る間にシェーディング板７１に摺接して、ガラス面２２ａ、２２ｂのクリーニングによりシェーディング板７１の両面に付着した汚れをクリーニングする。シェーディング板７１は、汚れの無い、所望の白色度を保つことが出来る。
【００４６】
（第２の実施形態）
第２の実施形態のシェーディング装置を図８及び図９を参照して説明する。第２の実施形態は、第１の実施形態のシェーディング部材に画像読取部をクリーニングするクリーニング部材を設けるものである。第２の実施形態にあって、前述の第１の実施形態で説明した構成と同一構成については同一符号を付して詳細な説明を省略する。
【００４７】
図８及び図９に示すように、シェーディング板７１は、他側７１ｂに、クリーニング部材であるスキャナクリーナ８２を備える。スキャナクリーナ８２は、例えばフェルト製であって、シェーディング板７１が第１搬送路６１ａを通過する間に、第１面８２ａは、第１スキャナ部２１Ａのガラス面２２ａに接触してガラス面２２ａをクリーニングする。スキャナクリーナ８２の第２面８２ｂは、シェーディング板７１が第１搬送路６１ａを通過する間に、第２スキャナ部２１Ｂのガラス面２２ｂに接触してガラス面２２ｂの汚れをクリーニングする。
【００４８】
シェーディング補正データを取得するために、シェーディング板７１を第１スキャナ部２１Ａ及び第２スキャナ部２１Ｂの読取り位置２３ａ，２３ｂに移動する間、シェーディング板７１の他側７１ｂに取着するスキャナクリーナ８２の両面８２ａ、８２ｂがそれぞれガラス面２２ａ、２２ｂに摺接する。スキャナクリーナ８２は、両面８２ａ、８２ｂを使用して、第１スキャナ部２１Ａ及び第２スキャナ部２１Ｂのガラス面２２ａ、２２ｂをクリーニングする。
【００４９】
第１スキャナ部２１Ａ及び第２スキャナ部２１Ｂがシェーディング板７１の読込みを終了すると、シェーディング板７１は、ドラム７２に巻き取られて、退避位置αに達する。シェーディング板７１がドラム７２に巻き取られる間、スキャナクリーナ８２の両面８２ａ、８２ｂは、それぞれガラス面２２ａ、２２ｂに摺接する。スキャナクリーナ８２は、両面８２ａ、８２ｂを使用して、再度第１スキャナ部２１Ａ及び第２スキャナ部２１Ｂのガラス面２２ａ、２２ｂをクリーニングする。退避位置αにある間、スキャナクリーナ８２は第１搬送路６１ａから確実に退避していて、シートＰの搬送を妨げない。
【００５０】
消去装置１００は、シートＰの読取りを行う間に、第１スキャナ部２１Ａ及び第２スキャナ部２１Ｂのそれぞれのガラス面２２ａ、２２ｂが汚れた場合に、スキャナクリーナ８２を使用してガラス面２２ａ、２２ｂをクリーニングする。消去装置１００は、例えば、第１搬送路６１ａを通過するシートＰが規定枚数を超えると、スキャナクリーナ８２を往復動して、ガラス面２２ａ、２２ｂをクリーニングする。
【００５１】
第２の実施形態によると、第１の実施形態と同様、第１スキャナ部２１Ａ及び第２スキャナ部２１Ｂのシェーディング補正データを得るために、それぞれにシェーディング装置７０を設けなくて良いことから、省スペース化を得られる。シェーディング板７１は、第１スキャナ部２１Ａ及び第２スキャナ部２１Ｂを通過するシートＰの搬送を妨げない。
【００５２】
第２の実施形態によると、スキャナクリーナ８２の両面８２ａ、８２ｂを使用して、第１スキャナ部２１Ａあるいは第２スキャナ部２１Ｂのそれぞれのガラス面２２ａ、２２ｂの汚れをクリーニングする。第１スキャナ部２１Ａ及び第２スキャナ部２１Ｂは、ガラス面２２ａ、２２ｂの汚れを原因とする読取り誤差を防止して良好な読取画像を得る。
【００５３】
以上説明した少なくとも１つの実施形態によれば、１つのシェーディング装置を使用して、複数の画像読取部が、それぞれシェーディング補正データを得る。複数の画像読取部に対してシェーディング装置を個々に配置する場合に比べて、シェーディング装置を配置するためのスペースを節約できる。画像読取部で記録媒体の画像を読取る間、シェーディング部材は、記録媒体の搬送路の外に退避していて、記録媒体の搬送を妨げない。
【００５４】
以上説明した少なくとも１つの実施形態の消去（消色）装置は、熱を使用して画像を消去する装置に限定されない。消去装置は、例えば、シート上の画像に光を照射して画像を消去する装置或いは、特殊シート上に形成される画像を消去する装置でも良い。更に消去装置は、シート上の画像を除去するものであっても良い。消去装置は、シートを再利用出来るように、画像を見えなくする構造を有するものであればよい。
【００５５】
この発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれるとともに、特許請求の範囲に記載された発明とその均等の範囲に含まれる。
【符号の説明】
【００５６】
２１Ａ…第１スキャナ部
２１Ｂ…第２スキャナ部
３０…消去部
６１…第１搬送部
７０…シェーディング部
７１…シェーディング板
７２…ドラム
７３…モータ
７４ａ…第１ギア
７４ｂ…第２ギア
【図１】
2013013072.tif 000003
【図２】
2013013072.tif 000004
【図３】
2013013072.tif 000005
【図４】
2013013072.tif 000006
【図５】
2013013072.tif 000007
【図６】
2013013072.tif 000008
【図７】
2013013072.tif 000009
【図８】
2013013072.tif 000010
【図９】
2013013072.tif 000011